(57)【要約】【課題】操作ハンドルを共通化すること。【解決手段】実施形態に係る水栓装置は、水栓本体と、吐水口と、温度調整ハンドルと、流量調整ハンドル本体部と、ハンドル支持部と、連結部と、オフセット部材とを備える。水栓本体は、混合バルブと混合バルブからの混合水を複数の給水路へ切り替えるか混合水を吐水または止水する開閉バルブとを軸上に有する。吐水口は、給水路からの混合水を吐水する。温度調整ハンドルは、水栓本体の軸上の一端部に配置され混合バルブを回動させる。流量調整ハンドル本体部は、水栓本体の軸上の他端部に配置され開閉バルブと接続される。ハンドル支持部は、温度調整ハンドルよりも他端部側に回動可能に配置される。連結部は、流量調整ハンドル本体部とハンドル支持部とを連結する。オフセット部材は、混合バルブと温度調整ハンドルとの間に設けられ温度調整ハンドルをハンドル支持部の軸方向の幅分オフセットさせる。【選択図】図３Ｂ
2020026644.tif 000002
【特許請求の範囲】
【請求項１】
それぞれの供給源から供給される水および湯を混合する混合バルブと該混合バルブから送られる混合水を複数の給水路へ選択的に切り替えるか前記混合水を吐水または止水する開閉バルブとが内部において軸上に配置される水栓本体と、
前記複数の給水路から供給される混合水をそれぞれ吐水する複数の吐水口と、
前記水栓本体の前記軸上における一端部に配置され、前記混合バルブを前記軸まわりに回動させる温度調整ハンドルと、
前記水栓本体の前記軸上における他端部に配置され、前記開閉バルブを前記軸まわりに回動可能に該開閉バルブと接続される流量調整ハンドル本体部と、
前記水栓本体の前記一端部において前記温度調整ハンドルよりも前記他端部側に配置され、前記軸まわりに回動可能なハンドル支持部と、
前記流量調整ハンドル本体部と前記ハンドル支持部とを前記水栓本体の外部において連結する連結部と、
前記混合バルブと前記温度調整ハンドルとの間に設けられ、前記温度調整ハンドルを前記ハンドル支持部の前記軸方向の幅分オフセットさせるオフセット部材と
を備えることを特徴とする水栓装置。
【請求項２】
前記温度調整ハンドルは、高温側の操作を規制する高温操作規制ボタンを備え、
前記高温操作規制ボタンは、前記オフセット部材によって押し込み量が規制されることを特徴とする請求項１に記載の水栓装置。
【請求項３】
前記混合バルブは、前記水栓本体の前記軸上における一端部側の先端部にバルブスプライン部を備え、
前記オフセット部材は、
前記バルブスプライン部と嵌合するバルブ側嵌合部と、
前記温度調整ハンドルの内面と当接するハンドル側嵌合部と、
前記バルブ側嵌合部と前記ハンドル側嵌合部との間を径方向に接続する接続部と
を備えることを特徴とする請求項１または２に記載の水栓装置。
【請求項４】
前記温度調整ハンドルは、ハンドルスプライン部を備え、
前記ハンドル側嵌合部は、前記ハンドルスプライン部以外の部分と当接することを特徴とする請求項３に記載の水栓装置。
【請求項５】
前記ハンドルスプライン部は、前記接続部が入り込む溝を備えることを特徴とする請求項４に記載の水栓装置。
【発明の詳細な説明】
【技術分野】
【０００１】
開示の実施形態は、水栓装置に関する。
【背景技術】
【０００２】
従来、水や湯を吐水する水栓装置は、たとえば、横長の水栓本体を備え、さらに、水栓本体の左右いずれか一端部に配置され、使用者によって回動操作されることで湯水の吐水量を調整する操作ハンドル（流量調整ハンドル）と、水栓本体の左右いずれか他端部に配置され、使用者によって回動操作されることで湯水の温度を調整する操作ハンドル（温度調整ハンドル）とを備える。
【０００３】
このうち、流量調整ハンドルには、水栓本体の左右一端部に設けられた本体部と、水栓本体の左右他端部に回動可能に設けられた支持部と、左右方向に延在するとともに本体部と支持部との間を連結する操作部とを備え、全体としてアーチ状のもの（以下、「アーチハンドル」という）がある（たとえば、特許文献１参照）。
【先行技術文献】
【特許文献】
【０００４】
【特許文献１】特開２０００−２８０１７号公報
【発明の概要】
【発明が解決しようとする課題】
【０００５】
また、流量調整ハンドルには、アーチハンドルの他、一端側だけで構成され、操作部が左右方向に延在しないもの（以下、「ノーマルハンドル」という）がある。
【０００６】
従来の水栓装置では、アーチハンドルの場合は左右に延在する操作部を水栓本体の左右他端部側において支持する支持部が必要であるがノーマルハンドルの場合は支持部が不要であるため、２つの場合では温度調整ハンドルの水栓本体に対する取り付け位置が左右方向にずれる。
【０００７】
このため、従来の水栓装置では、流量調整ハンドルがアーチハンドルの場合とノーマルハンドルの場合とで温度調整ハンドルを変更する必要がある。すなわち、従来の水栓装置は、一方の操作ハンドルの種類が異なる場合は他方の操作ハンドルも変更する必要があり、操作ハンドルを共通化することができなかった。
【０００８】
実施形態の一態様は、操作ハンドルを共通化することができる水栓装置を提供することを目的とする。
【課題を解決するための手段】
【０００９】
実施形態の一態様に係る水栓装置は、それぞれの供給源から供給される水および湯を混合する混合バルブと該混合バルブから送られる混合水を複数の給水路へ選択的に切り替えるか前記混合水を吐水または止水する開閉バルブとが内部において軸上に配置される水栓本体と、前記複数の給水路から供給される混合水をそれぞれ吐水する複数の吐水口と、前記水栓本体の前記軸上における一端部に配置され、前記混合バルブを前記軸まわりに回動させる温度調整ハンドルと、前記水栓本体の前記軸上における他端部に配置され、前記開閉バルブを前記軸まわりに回動可能に該開閉バルブと接続される流量調整ハンドル本体部と、前記水栓本体の前記一端部において前記温度調整ハンドルよりも前記他端部側に配置され、前記軸まわりに回動可能なハンドル支持部と、前記流量調整ハンドル本体部と前記ハンドル支持部とを前記水栓本体の外部において連結する連結部と、前記混合バルブと前記温度調整ハンドルとの間に設けられ、前記温度調整ハンドルを前記ハンドル支持部の前記軸方向の幅分オフセットさせるオフセット部材とを備えることを特徴とする。
【００１０】
かかる構成によれば、混合バルブと温度調整ハンドルとの間にオフセット部材を設けることで、温度調整ハンドルの取り付け位置をハンドル支持部の軸方向の幅分オフセットすることが可能なため、ハンドル支持部の有無に関わらず同一の温度調整ハンドルを使用することができる。すなわち、操作ハンドルを共通化することができる。
【００１１】
また、前記温度調整ハンドルは、高温側の操作を規制する高温操作規制ボタンを備え、前記高温操作規制ボタンは、前記オフセット部材によって押し込み量が規制されることを特徴とする。
【００１２】
かかる構成によれば、オフセット部材が高温操作規制ボタンの押し込み量を規制することで、オフセット部材が温度調整ハンドルのオフセットと高温操作規制ボタンの押し込み量の規制を兼ねるようになり、部品点数の削減などが可能となる。
【００１３】
また、前記混合バルブは、前記水栓本体の前記軸上における一端部側の先端部にバルブスプライン部を備え、前記オフセット部材は、前記バルブスプライン部と嵌合するバルブ側嵌合部と、前記温度調整ハンドルの内面と当接するハンドル側嵌合部と、前記バルブ側嵌合部と前記ハンドル側嵌合部との間を径方向に接続する接続部とを備えることを特徴とする。
【００１４】
かかる構成によれば、バルブ側嵌合部とハンドル側嵌合部とが径方向に接続されるため、嵌合により動力を伝達するような雌雄部材を軸方向に延ばさなくても両者を接続することができる。これにより、水栓装置の全長を短くすることができる。
【００１５】
また、前記温度調整ハンドルは、ハンドルスプライン部を備え、前記ハンドル側嵌合部は、前記ハンドルスプライン部以外の部分と当接することを特徴とする。
【００１６】
かかる構成によれば、ハンドルスプライン部のスプライン以外の部分で回転動力を伝達することができる。これにより、回転強度の低下を抑えることができる。
【００１７】
また、前記ハンドルスプライン部は、前記接続部が入り込む溝を備えることを特徴とする。
【００１８】
かかる構成によれば、ハンドルスプライン部に溝を設け、溝に接続部が入り込むため、水栓装置の全長を短縮することができる。
【発明の効果】
【００１９】
実施形態の一態様によれば、操作ハンドルを共通化することができる。
【図面の簡単な説明】
【００２０】
【図１】図１は、アーチハンドルタイプの水栓装置の斜視図である。
【図２】図２は、アーチハンドルタイプの水栓装置の平面図である。
【図３Ａ】図３Ａは、図２におけるII−II断面図である。
【図３Ｂ】図３Ｂは、図３ＡにおけるＡ部の拡大図である。
【図４Ａ】図４Ａは、オフセット部材の斜視図（その１）である。
【図４Ｂ】図４Ｂは、オフセット部材の斜視図（その２）である。
【図５】図５は、ノーマルハンドルタイプの水栓装置の斜視図である。
【図６】図６は、ノーマルハンドルタイプの水栓装置の平面図である。
【図７Ａ】図７Ａは、図６におけるVI−VI断面図である。
【図７Ｂ】図７Ｂは、図７ＡにおけるＢ部の拡大図である。
【発明を実施するための形態】
【００２１】
以下、添付図面を参照して、本願の開示する水栓装置の実施形態を詳細に説明する。なお、以下に示す実施形態によりこの発明が限定されるものではない。
【００２２】
＜アーチハンドルタイプの水栓装置１Ａの概要＞
図１および図２を参照してアーチハンドルタイプの水栓装置１Ａの概要について説明する。図１は、アーチハンドルタイプの水栓装置１Ａの斜視図である。図２は、アーチハンドルタイプの水栓装置１Ａの平面図である。なお、図１および図２には、説明の便宜上、鉛直上向きを正方向とするＺ軸を含む３次元の直交座標系を図示している。直交座標系は、他の図においても図示している。
【００２３】
直交座標系は、Ｘ軸の正方向を「左方」と規定し、Ｘ軸の負方向を「右方」と規定し、Ｙ軸の正方向を「前方」と規定し、Ｙ軸の負方向を「後方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００２４】
図１および図２に示すように、水栓装置１には、一方の操作ハンドルである流量調整ハンドル４にアーチハンドルが採用されたアーチハンドルタイプの水栓装置１Ａがある。なお、水栓装置１には、アーチハンドルタイプの他、流量調整ハンドル４にノーマルハンドルが採用された、後述するノーマルハンドルタイプの水栓装置１Ｂ（図５および図６参照）がある。
【００２５】
水栓装置１Ａは、水栓本体２と、他方の操作ハンドルである温度調整ハンドル３と、流量調整ハンドル４Ａと、吐水管６と、ハンドシャワー（不図示）とを備える。水栓装置１Ａは、複数の給水路（吐水管６またはシャワーホース７）から供給される水および湯を混合した混合水または水を、複数の吐水口（吐水管６の吐水口またはハンドシャワーの吐水口）から吐水する。
【００２６】
水栓本体２は、円筒状の外郭部材２１（図３Ａ参照）を備える。外郭部材２１は、金属製の部材であり、水栓本体２の外郭を形成している。外郭部材２１には、後述する内部流路ユニット５（図３Ａ参照）が軸方向に挿入される。なお、外郭部材２１および内部流路ユニット５の軸は、水栓本体２の軸Ｌ（図３Ａ参照）と一致する。このため、以下では、外郭部材２１および内部流路ユニット５の軸方向についても「軸Ｌ」方向という。また、外郭部材２１、内部流路ユニット５およびその他の部材の径方向は、水栓本体２の径方向と共通の方向である。以下では、各部材の径方向についても共通して「径方向」という。
【００２７】
水栓本体２の左右いずれか一端部（たとえば、左端部）には、後方から給湯管８が取り付けられる。水栓本体２の左右いずれか他端部（たとえば、右端部）には、後方から給水管９が取り付けられる。
【００２８】
また、水栓本体２の左右いずれか一端部（たとえば、左端部）には、温度調整ハンドル３が取り付けられる。また、水栓本体２の左右いずれか他端部（たとえば、右端部）には、流量調整ハンドル４Ａの後述する流量調整ハンドル本体部４１Ａが取り付けられる。
【００２９】
温度調整ハンドル３は、有底円筒状の部材であり、水栓本体２に対して軸Ｌまわりに回動可能に取り付けられる。温度調整ハンドル３は、回動位置に応じて吐水管６またはハンドシャワーから吐水される流体の種類を、水または混合水に切り替える。具体的には、温度調整ハンドル３は、水に湯を混合するか否かを切り替え、吐水管６またはハンドシャワーから混合水を吐水する場合に、回動位置に応じて混合水の温度を調整（設定）する。
【００３０】
温度調整ハンドル３は、高温操作規制ボタン３１を備える。高温操作規制ボタン３１は、温度調整ハンドル３の高温側の操作、すなわち、高温側への回動操作を規制するボタンである。高温操作規制ボタン３１は、後述する付勢部材３１１（図３Ａ参照）によって径方向の外側へ向けて付勢される。
【００３１】
温度調整ハンドル３は、高温操作規制ボタン３１が径方向の内側へ押し込まれないと所定温度以上の高温に設定することができない。このように、高温操作規制ボタン３１を設けることで、使用者の意図に反する高温の混合水（湯）が吐水されるのを防止している。
【００３２】
流量調整ハンドル４Ａは、上記したように、アーチハンドルであり、流量調整ハンドル本体部４１Ａと、ハンドル支持部４２Ａと、連結部４３Ａとを備える。流量調整ハンドル本体部４１Ａは、有底筒状の部材であり、水栓本体２に対して軸Ｌまわりに回動可能に取り付けられる。
【００３３】
ハンドル支持部４２Ａは、円筒状または環状の部材であり、水栓本体２の左右いずれか一端部（たとえば、左端部）において温度調整ハンドル３よりも他端部（右端部）側に温度調整ハンドル３と並んで配置され、水栓本体２に対して軸Ｌまわりに回動可能に取り付けられる。ハンドル支持部４２Ａは、流量調整ハンドル４Ａの他端部における回動支点でもある。
【００３４】
連結部４３Ａは、両端部が鉤状に屈曲された長体部材であり、流量調整ハンドル本体部４１Ａとハンドル支持部４２Ａとを水栓本体２の外部において連結している。連結部４３Ａは、流量調整ハンドル４Ａを回動操作する場合に操作される操作部である。
【００３５】
流量調整ハンドル４Ａは、流量調整ハンドル本体部４１Ａの回動位置に応じて、水または混合水の吐水先を、吐水管６またはハンドシャワーに切り替える。流量調整ハンドルは、流量調整ハンドル本体部４１Ａの回動位置に応じて、吐水管６またはハンドシャワーから吐水される水または混合水の流量を調整する。
【００３６】
＜水栓装置１Ａの内部構成＞
次に、図３Ａおよび図３Ｂを参照して水栓装置１Ａの内部構成について説明する。図３Ａは、図２におけるII−II断面図、すなわち、水栓装置１Ａの正断面図である。図３Ｂは、図３ＡにおけるＡ部の拡大図である。図３Ａに示し、かつ、上記したように、水栓本体２は、外郭部材２１を備える。外郭部材２１は、左右方向に延びている。外郭部材２１は、左右方向に直交する断面が円形の内周面２１ａを有する。
【００３７】
外郭部材２１には、下方から吐水管６を内部流路ユニット５に取り付けるための挿入孔が左右方向の中央付近に形成される。また、外郭部材２１には、後方からシャワーホース７（図２参照）を内部流路ユニット５に取り付けるための挿入孔が左右方向の中央付近に形成される。
【００３８】
水栓本体２は、外郭部材２１に挿入されることで、内部流路ユニット５を内部に備える。内部流路ユニット５は、たとえば、給水管９（図２参照）から供給される水を、外郭部材２１の内周面２１ａと、内部流路ユニット５の後述する内部流路部材５１の外周面との間を通さずに流すユニットであり、内部で水の流路を完結させたユニットである。
【００３９】
内部流路ユニット５は、内部流路部材５１と、温度調整部（混合バルブ６０）と、流量調整部（開閉バルブ７０）とを備える。内部流路部材５１は、たとえば、ＰＰＳ（ポリフェニレンサルファイド）などのような強度の高い樹脂製であり、外郭部材２１の内周面２１ａにあわせて、外形が円筒状に形成される。
【００４０】
内部流路部材５１の外周面には、リブ状の凸部５１１が設けられる。内部流路部材５１は、凸部５１１が外郭部材２１の内周面２１ａに当接することで、内部流路部材５１の組み立て時（挿入時）の摩擦抵抗を減らして組み立て性を高めるとともに、外郭部材２１の内周面２１ａとの間に空間が形成され断熱性を高めている。内部流路部材５１の内部には、温度調整部である混合バルブ６０と、流量調整部である開閉バルブ７０とが設けられる。
【００４１】
混合バルブ６０は、それぞれの供給源から供給される水と湯とを混合する。混合バルブ６０は、水栓本体２の軸Ｌ上に配置される。混合バルブ６０は、感温ばね６１と、バイアスばね６２と、弁体６３と、ライナ６４と、スピンドル６５とを備える。
【００４２】
感温ばね６１は、左右方向の中央側に設けられた第１支持ケース６６に収容される。感温ばね６１は、温度に応じてばね定数が変化するばねであり、たとえば、形状記憶合金によって構成される。感温ばね６１は、後述する弁体６３を左右いずれか一方（左方）に向けて付勢する。
【００４３】
バイアスばね６２は、第１支持ケース６６よりも左方に設けられた第２支持ケース６７に収容される。バイアスばね６２は、混合バルブ６０において混合された混合水Ｗを後述する開閉バルブ７０へ供給する吐水流路Ｒに設けられる。バイアスばね６２は、温度に対してばね定数がほぼ一定のばねである。バイアスばね６２は、弁体６３を左右いずれか他方（右方）に向けて付勢する。
【００４４】
弁体６３は、第１支持ケース６６と第２支持ケース６７との間に設けられる。弁体６３は、左右方向に摺動可能となるように、隔離壁６８を介して内部流路部材５１に支持される。隔離壁６８は、給湯管８（図２参照）から供給される湯を導入する湯導入流路と、給水管９（図２参照）から供給される水を導入する水導入流路とを左右方向において隔離する。また、弁体６３には、左右方向に貫通する貫通孔が形成される。
【００４５】
弁体６３は、感温ばね６１の付勢力とバイアスばね６２の付勢力とに応じて左右方向に移動し、湯導入流路と吐水流路Ｒとの連通状態を調整する。具体的には、弁体６３は、感温ばね６１の付勢力がバイアスばね６２の付勢力よりも大きい場合には、左方に移動する。弁体６３が左方に移動し、第１支持ケース６６に当接すると、湯導入流路と吐水流路Ｒとの連通が遮断され、湯が吐水流路Ｒに流入しなくなる。
【００４６】
また、弁体６３は、バイアスばね６２の付勢力が感温ばね６１の付勢力よりも大きい場合には、右方に移動する。たとえば、弁体６３が第１支持ケース６６に当接した状態から、バイアスばね６２の付勢力が大きくなり、第１支持ケース６６から離間すると、湯導入流路と吐水流路Ｒとが連通し、湯が吐水流路Ｒに流入する。
【００４７】
弁体６３は、第１支持ケース６６から離間した状態では、感温ばね６１の付勢力とバイアスばね６２の付勢力とが釣り合う位置に保持される。弁体６３と第１支持ケース６６との距離が長くなるほど、吐水流路Ｒに流入する湯量が多くなる。また、弁体６３と第１支持ケース６６との距離が長くなるほど、弁体６３と第２支持ケース６７との距離が短くなり、吐水流路Ｒに流入する水量が少なくなる。
【００４８】
ライナ６４は、バイアスばね６２の弁体６３とは反対側の端部に当接し、スピンドル６５を介して温度調整ハンドル３に接続される。スピンドル６５は、第２支持ケース６７に回動可能に支持され、温度調整ハンドル３の回動運動をライナ６４の左右方向における直進運動に変換する。このため、ライナ６４は、温度調整ハンドル３の回動に応じて左右方向に移動する。
【００４９】
混合バルブ６０では、温度調整ハンドル３の回動位置にあわせて、ライナ６４が左右方向に移動する。すなわち、混合バルブ６０は、温度調整ハンドル３の回動位置にあわせて、感温ばね６１の付勢力とバイアスばね６２の付勢力とが釣り合う位置に弁体６３の位置を変更する。これにより、混合バルブ６０は、混合水Ｗを吐水する場合に、混合水Ｗの温度を温度調整ハンドル３の回動位置に応じた設定温度とすることができる。
【００５０】
また、混合水Ｗを吐水する場合に、たとえば、湯の温度が変わり混合水Ｗの温度が変化すると、混合水Ｗの温度に応じて感温ばね６１が伸縮し、弁体６３が左右方向に移動し、弁体６３の釣り合い位置が自動的に変更される。これにより、吐水流路Ｒに流入する湯量および水量が調整され、混合水Ｗの温度が自動的に調整される。
【００５１】
開閉バルブ７０は、混合バルブ６０で混合され混合バルブ６０から送られる混合水Ｗを、複数の給水路、すなわち、吐水管６またはシャワーホース７（図２参照）へ選択的に切り替えるか、吐水または止水する。開閉バルブ７０は、混合バルブ６０と同様、水栓本体２の軸Ｌ上に配置される。
【００５２】
開閉バルブ７０は、切替弁体７１と、回動軸７２とを備える。切替弁体７１は、吐水流路Ｒに設けられる。切替弁体７１は、有底の円筒状であり、流量調整ハンドル本体部４１Ａの回動にあわせて回動し、内部流路部材５１の内周面において摺動する。
【００５３】
切替弁体７１は、内部流路部材５１の中央付近に形成された２つの開口（不図示）へ向かうように設けられる。なお、２つの開口のうち、一方は、吐水管６へ通じる吐水口であり、他方は、シャワーホース７（図２参照）へ通じる吐水口である。
【００５４】
また、切替弁体７１には、連通口（不図示）が形成される。流量調整ハンドル本体部４１Ａの回動にあわせて切替弁体７１が回動することで、連通口は、２つの開口のいずれかと連通する。
【００５５】
回動軸７２は、内部流路部材５１の内周面において回動可能に支持される。回動軸７２は、左右いずれか一端部（右端部）が流量調整ハンドル本体部４１Ａに接続され、他端部（左端部）が切替弁体７１に接続される。
【００５６】
流量調整ハンドル本体部４１Ａが所定の止水位置にある場合には、連通口は、２つの開口のいずれとも連通しない。このため、流量調整ハンドル本体部４１Ａが所定の止水位置にある場合には、混合水Ｗ（または水）は吐水管６およびハンドシャワーから吐水されない。
【００５７】
また、流量調整ハンドル本体部４１Ａが止水位置から前方に向けて回動した場合には、たとえば、連通口が２つの開口のうちの一方（吐水管６へ通じる吐水口）と連通する。これにより、混合水Ｗ（または水）は、一方の開口から吐水管６に流入し、吐水管６の吐水口から吐水される。
【００５８】
また、流量調整ハンドル本体部４１Ａが止水位置から後方に向けて回動した場合には、たとえば、連通口が２つの開口のうちの他方（シャワーホース７へ通じる吐水口）と連通する。これにより、混合水Ｗ（または水）は、他方の開口からシャワーホース７に流入し、ハンドシャワーの吐水口から吐水される。
【００５９】
切替弁体７１は、流量調整ハンドル本体部４１Ａの回動位置に応じて連通口と２つの開口とが連通する面積を変更することができる。すなわち、開閉バルブ７０は、流量調整ハンドル本体部４１Ａの回動位置にあわせて、吐水管６またはハンドシャワーの吐水口から吐水される混合水Ｗ（または水）の流量を調整することができる。
【００６０】
流量調整ハンドル本体部４１Ａは、回動軸７２の一端部側の先端部に設けられた開閉バルブ７０の接続部であるバルブスプライン部７３に接続されるハンドルスプライン部４４Ａを内面に備える。このように、流量調整ハンドル本体部４１Ａは、水栓本体２の軸Ｌ上における他端部（右端部）に配置され、開閉バルブ７０を軸Ｌまわりに回動可能に、開閉バルブ７０と接続される。
【００６１】
また、流量調整ハンドル本体部４１Ａと連結部４３Ａと共に流量調整ハンドル４Ａを構成するハンドル支持部４２Ａは、上記したように、水栓本体２の左右いずれか一端部（左端部）において温度調整ハンドル３よりも他端部（右端部）側に温度調整ハンドル３と並んで配置される。
【００６２】
ここで、流量調整ハンドル４Ａ（図２参照）の水栓本体２における一端部（左端部）側の回動支点となるハンドル支持部４２Ａを設けた場合、温度調整ハンドル３の取り付け位置がノーマルハンドルの場合と比べてハンドル支持部４２Ａの軸Ｌ方向の幅分左右方向の外側（左側）にずれる。このため、水栓装置１Ａは、温度調整ハンドル３をハンドル支持部４２Ａの軸Ｌ方向の幅分オフセットさせるオフセット部材３３を備える。
【００６３】
＜温度調整ハンドル３およびオフセット部材３３＞
図３Ａ、図３Ｂ、図４Ａおよび図４Ｂを参照して温度調整ハンドル３およびオフセット部材３３について説明する。図４Ａおよび図４Ｂは、オフセット部材３３の斜視図である。なお、図３Ａおよび図３Ｂに示す温度調整ハンドル３の取り付け状態を基準とした場合、図４Ａは、オフセット部材３３を左上方から見た図であり、図４Ｂは、オフセット部材３３を右上方から見た図である。
【００６４】
図３Ａおよび図３Ｂに示すように、温度調整ハンドル３は、軸Ｌ上における一端部（左端部）に配置される。温度調整ハンドル３は、混合バルブ６０を軸Ｌまわりに回動させる。また、温度調整ハンドル３は、混合バルブ６０と接続されるためのハンドルスプライン部３２を内面に備える。ハンドルスプライン部３２は、その外周面に軸Ｌ方向に沿って形成された溝３２ａを備える。
【００６５】
オフセット部材３３は、混合バルブ６０と温度調整ハンドル３との間に設けられる。オフセット部材３３は、混合バルブ６０の軸Ｌ上における一端部（左端部）側の先端部に設けられ混合バルブ６０の接続部であるバルブスプライン部６９に接続されるとともに、温度調整ハンドル３に接続される。
【００６６】
図３Ａ、図３Ｂ、図４Ａおよび図４Ｂに示すように、オフセット部材３３は、バルブ側嵌合部３３ａと、ハンドル側嵌合部３３ｂと、接続部３３ｃとを備える。バルブ側嵌合部３３ａは、混合バルブ６０のバルブスプライン部６９と嵌合することで、バルブスプライン部６９に接続される。ハンドル側嵌合部３３ｂは、当接部３３ｂａを備える。当接部３３ｂａは、温度調整ハンドル３の内面のうち、ハンドルスプライン部３２以外の部分と当接する。
【００６７】
接続部３３ｃは、バルブ側嵌合部３３ａとハンドル側嵌合部３３ｂとの間を径方向に接続する。接続部３３ｃは、複数であり、それぞれ板状に形成され、ハンドル側嵌合部３３ｂから径方向に突出して設けられる。接続部３３ｃは、バルブ側嵌合部３３ａがバルブスプライン部６９と嵌合した状態、かつ、ハンドル側嵌合部３３ｂが温度調整ハンドル３の内面と当接した状態で、ハンドルスプライン部３２の溝３２ａ（図３Ｂ参照）に入り込んでいる。なお、接続部３３ｃは、単数でもよい。
【００６８】
このように、接続部３３ｃによってバルブ側嵌合部３３ａとハンドル側嵌合部３３ｂとが径方向に接続されているため、嵌合により動力を伝達するような雌雄部材を軸Ｌ方向に延ばさなくても両者を接続することができる。これにより、水栓の全長、すなわち、水栓装置１Ａの左右方向の長さを短縮することができる。
【００６９】
また、ハンドルスプライン部３２に溝３２ａを設け、オフセット部材３３の接続部３３ｃが溝３２ａに入り込むことで、ハンドルスプライン部３２のスプライン以外の部分で回転動力を伝達することができ、たとえば、バルブ側嵌合部３３ａとハンドル側嵌合部３３ｂとの間を接続するために接続部を設けた場合など、ハンドルスプライン部３２の長さが足りないことによる、回動に対する強度低下を抑えることができる。
【００７０】
温度調整ハンドル３は、上記したように、高温操作規制ボタン３１（図３Ｂ参照）を備える。図３Ｂに示すように、高温操作規制ボタン３１は、温度調整ハンドル３の外周面に形成された孔部３ａから突出している。高温操作規制ボタン３１は、板ばねなどの付勢部材３１１によって温度調整ハンドル３の径方向の外側へ向けて付勢される。
【００７１】
また、高温操作規制ボタン３１は、オフセット部材３３の外周面３３ｄ（図４Ａおよび図４Ｂ参照）によって径方向の内側へ向けた移動量が規制される。すなわち、高温操作規制ボタン３１の押し込み量が規制される。
【００７２】
このように、オフセット部材３３が高温操作規制ボタン３１の押し込み量を規制することで、オフセット部材３３が温度調整ハンドル３の左右方向のオフセットと高温操作規制ボタン３１の押し込み量の規制を兼ねるようになる。これにより、部品点数の削減などが可能となる。
【００７３】
＜ノーマルハンドルタイプの水栓装置１Ｂ＞
次に、図５〜図７Ｂを参照してノーマルハンドルタイプの水栓装置１Ｂについて説明する。図５は、ノーマルハンドルタイプの水栓装置１Ｂの斜視図である。図６は、ノーマルハンドルタイプの水栓装置１Ｂの平面図である。図７Ａは、図６におけるVI−VI断面図、すなわち、水栓装置１Ｂの正断面図である。図７Ｂは、図７ＡにおけるＢ部の拡大図である。なお、図７Ｂには、上記したアーチハンドルタイプの水栓装置１Ａにおける温度調整ハンドル３を二点破線で示している。
【００７４】
また、ノーマルハンドルタイプの水栓装置１Ｂは、上記したアーチハンドルタイプの水栓装置１Ａと共通の操作ハンドル（温度調整ハンドル３）を使用することができる。水栓装置１Ｂは、水栓装置１Ａとは流量調整ハンドル４の構成が相違する。このため、以下で説明する水栓装置１Ｂにおいて水栓装置１Ａと同一または同等の箇所については、同一の符号を付し、説明についても省略する場合がある。
【００７５】
図５および図６に示すように、水栓装置１Ｂは、流量調整ハンドル４Ｂを備える。流量調整ハンドル４Ｂは、流量調整ハンドル本体部４１Ｂと、操作部４３Ｂとを備える。操作部４３Ｂは、流量調整ハンドル本体部４１Ｂの外周面において前方へ向けて突出している。
【００７６】
図７Ａおよび図７Ｂに示すように、水栓装置１Ｂにおいて、温度調整ハンドル３は、内面に設けられたハンドルスプライン部３２が混合バルブ６０のバルブスプライン部６９に接続されることで、混合バルブ６０と接続される。
【００７７】
図７Ｂに示すように、水栓装置１Ａ（図３Ｂ参照）と水栓装置１Ｂとにおける温度調整ハンドル３の取り付け位置は、左右方向（軸Ｌ方向）に、ハンドル支持部の軸Ｌ方向の幅ｄ分だけオフセットされる。
【００７８】
このように、実施形態に係る水栓装置１（１Ａ，１Ｂ）によれば、混合バルブ６０と温度調整ハンドル３との間にオフセット部材３３を設けることで、温度調整ハンドル３の取り付け位置をハンドル支持部４２Ａの軸Ｌ方向の幅分オフセットすることが可能なため、ハンドル支持部４２Ａの有無に関わらず、すなわち、アーチハンドルやノーマルハンドルのような一方の操作ハンドルである流量調整ハンドル４（４Ａ，４Ｂ）の種類に関わらず、他方の操作ハンドルである温度調整ハンドル３に同一のものを使用することができる。すなわち、操作ハンドルを共通化することができる。
【００７９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８０】
１Ａ  水栓装置
２    水栓本体
３    温度調整ハンドル
３１    高温操作規制ボタン
３２    ハンドルスプライン部
３２ａ  溝
３３    オフセット部材
３３ａ  バルブ側嵌合部
３３ｂ  ハンドル側嵌合部
３３ｃ  接続部
４１Ａ  流量調整ハンドル本体部
４２Ａ  ハンドル支持部
４３Ａ  連結部
６０    混合バルブ
６９    バルブスプライン部
７０    開閉バルブ
Ｌ    軸
【図１】
2020026644.tif 000003
【図２】
2020026644.tif 000004
【図３Ａ】
2020026644.tif 000005
【図３Ｂ】
2020026644.tif 000006
【図４Ａ】
2020026644.tif 000007
【図４Ｂ】
2020026644.tif 000008
【図５】
2020026644.tif 000009
【図６】
2020026644.tif 000010
【図７Ａ】
2020026644.tif 000011
【図７Ｂ】
2020026644.tif 000012